【手続補正書】
【提出日】平成20年9月17日(2008.9.17)
【手続補正１】
【補正対象書類名】明細書
【補正対象項目名】発明の名称
【補正方法】変更
【補正の内容】
【発明の名称】閃光装置、撮像装置及び閃光装置の制御方法
【手続補正２】
【補正対象書類名】明細書
【補正対象項目名】特許請求の範囲
【補正方法】変更
【補正の内容】
【特許請求の範囲】
【請求項１】  ストロボ撮影時にプリ発光を行う閃光装置であって、
電気エネルギーを蓄える主コンデンサと、
前記主コンデンサに蓄えられた電気エネルギーを用いて発光する複数の発光手段と、を有し、
ストロボ撮影時に発光させる前記発光手段の数に応じて、発光させる前記発光手段のプリ発光時のプリ発光光量を変化させることを特徴とする閃光装置。
【請求項２】  ストロボ撮影時に発光させる前記発光手段の数が単数の場合、前記発光手段を単数で発光させるときのフル発光光量の１／Ｎの光量をプリ発光光量とし、ストロボ撮影時に発光させる前記発光手段の数が複数の場合、発光させる前記発光手段のプリ発光光量を合わせた光量が、前記フル発光光量の１／Ｎの光量となるようにすることを特徴とする請求項１に記載の閃光装置。
【請求項３】  ストロボ撮影時に発光させる前記発光手段の数が単数の場合、前記発光手段を複数で発光させるときのそれぞれのフル発光光量を合わせた光量の１／Ｎの光量をプリ発光光量とし、ストロボ撮影時に発光させる前記発光手段の数が複数の場合、発光させる前記発光手段のプリ発光光量を合わせた光量が、前記発光手段を単数で発光させるときのフル発光光量の１／Ｎの光量となるようにすることを特徴とする請求項１に記載の閃光装置。
【請求項４】  ストロボ撮影時に発光させる前記発光手段の数が単数の場合、前記発光手段を単数で発光させるときのフル発光光量の１／Ｎの光量をプリ発光光量とし、ストロボ撮影時に発光させる前記発光手段の数が複数の場合、発光させる前記発光手段のプリ発光光量を合わせた光量が、前記発光手段を複数で発光させるときのそれぞれのフル発光光量を合わせた光量の１／Ｎの光量となるようにすることを特徴とする請求項１に記載の閃光装置。
【請求項５】  ストロボ撮影時に発光させる前記発光手段の数が単数の場合、前記発光手段を複数で発光させるときのそれぞれのフル発光光量を合わせた光量の１／Ｎの光量をプリ発光光量とし、ストロボ撮影時に発光させる前記発光手段の数が複数の場合、発光させる前記発光手段のプリ発光光量を合わせた光量が、前記フル発光光量を合わせた光量の１／Ｎの光量となるようにすることを特徴とする請求項１に記載の閃光装置。
【請求項６】  フル発光は発光時の主コンデンサの電圧状態に応じたフル発光であることを特徴とする請求項２ないし５のいずれか１項に記載の閃光装置。
【請求項７】  フル発光は発光時の主コンデンサの電圧がフル充電状態である時のフル発光であることを特徴とする請求項２ないし５のいずれか１項に記載の閃光装置。
【請求項８】  ストロボ撮影時に発光させる前記発光手段の数が複数の場合、前記発光させる発光手段のプリ発光光量は互いに等しいことを特徴とする請求項１ないし７のいずれか１項に記載の閃光装置。
【請求項９】  ストロボ撮影時にプリ発光を行う撮像装置であって、
電気エネルギーを蓄える主コンデンサと、
前記主コンデンサに蓄えられた電気エネルギーを用いて発光する複数の発光手段と、を有し、
ストロボ撮影時に発光させる前記発光手段の数に応じて、発光させる前記発光手段のプリ発光時のプリ発光光量を変化させることを特徴とする撮像装置。
【請求項１０】  同一の主コンデンサに蓄えられた電気エネルギーを用いて発光する複数の発光手段を有する閃光装置の発光制御方法であって、
ストロボ撮影時に発光させる前記発光手段の数に応じて、発光させる前記発光手段のプリ発光時のプリ発光光量を変化させることを特徴とする閃光装置の発光制御方法。
【手続補正３】
【補正対象書類名】明細書
【補正対象項目名】０００１
【補正方法】変更
【補正の内容】
【０００１】
【発明の属する技術分野】
本発明は複数の発光手段を有する閃光装置、撮像装置及び閃光装置の制御方法に関するものである。
【手続補正４】
【補正対象書類名】明細書
【補正対象項目名】０００６
【補正方法】変更
【補正の内容】
【０００６】
本発明の目的はかかる課題を解決するためになされたもので、主コンデンサの充電電圧が発光手段の発光可能充電電圧より下がらないように維持することのできる閃光装置、撮像装置及び閃光装置の制御方法を提供することである。
【手続補正５】
【補正対象書類名】明細書
【補正対象項目名】０００７
【補正方法】変更
【補正の内容】
【０００７】
【課題を解決するための手段】
上記の課題を解決するために、本発明の閃光装置は、ストロボ撮影時にプリ発光を行う閃光装置であって、電気エネルギーを蓄える主コンデンサと、前記主コンデンサに蓄えられた電気エネルギーを用いて発光する複数の発光手段と、を有し、ストロボ撮影時に発光させる前記発光手段の数に応じて、発光させる前記発光手段のプリ発光時のプリ発光光量を変化させることを特徴とする。
【手続補正６】
【補正対象書類名】明細書
【補正対象項目名】０００８
【補正方法】変更
【補正の内容】
【０００８】
また、本発明の撮像装置は、ストロボ撮影時にプリ発光を行う撮像装置であって、電気エネルギーを蓄える主コンデンサと、前記主コンデンサに蓄えられた電気エネルギーを用いて発光する複数の発光手段と、を有し、ストロボ撮影時に発光させる前記発光手段の数に応じて、発光させる前記発光手段のプリ発光時のプリ発光光量を変化させることを特徴とする。
【手続補正７】
【補正対象書類名】明細書
【補正対象項目名】０００９
【補正方法】変更
【補正の内容】
【０００９】
また、本発明の閃光装置の発光制御方法は、同一の主コンデンサに蓄えられた電気エネルギーを用いて発光する複数の発光手段を有する閃光装置の発光制御方法であって、ストロボ撮影時に発光させる前記発光手段の数に応じて、発光させる前記発光手段のプリ発光時のプリ発光光量を変化させることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】０１１０
【補正方法】変更
【補正の内容】
【０１１０】
【発明の効果】
以上のように、複数個の発光手段でプリ発光する場合も、１個の発光手段でプリ発光する場合でもほぼ同等のエネルギーを主コンデンサから消費することになり、メイン発光時に主コンデンサの充電電圧が発光可能電圧以下になりメイン発光ができなくなることを防止できる。